(57)【要約】【課題】データ信号回路と破壊検知回路とが形成されるフレキシブルプリント基板において、データ信号回路からのデータの不正取得を防止することが可能であっても、データ信号回路に流れる信号と破壊検知回路に流れる信号との間のクロストークを低減することが可能なフレキシブルプリント基板を提供する。【解決手段】このフレキシブルプリント基板では、データ信号回路が形成されるデータ信号回路層の少なくとも一部は、直線状に形成され互いに平行に配置される複数の第１パターン配線で構成されたデータ信号回路が形成される第１データ信号回路層となっており、破壊検知回路３３が形成される破壊検知回路層３４の、第１データ信号回路層と重なる部分である第１破壊検知回路層３４ａには、第１パターン配線に直交する直線状の直線部４０ｃと円弧状の円弧部４０ｄとの組合せからなる第２パターン配線４０ｅで構成された破壊検知回路３３が形成されている。【選択図】図７
2018170422.tif 000002
【特許請求の範囲】
【請求項１】
データ信号を伝えるためのデータ信号回路が形成されるデータ信号回路層と、自身が断線したことおよび短絡したことの少なくともいずれか一方を検知するための破壊検知回路が形成されるとともに前記データ信号回路層と重なる破壊検知回路層とを備え、
前記破壊検知回路には、矩形波状のデジタル信号である破壊検知信号が流れ、
前記データ信号回路層の少なくとも一部は、直線状に形成されるとともに互いに平行に配置される複数の第１パターン配線によって構成された前記データ信号回路が形成される第１データ信号回路層となっており、
前記破壊検知回路層の、前記第１データ信号回路層と重なる部分である第１破壊検知回路層には、前記第１パターン配線に直交する直線状の直線部と円弧状の円弧部との組合せからなる第２パターン配線によって構成された前記破壊検知回路が形成されていることを特徴とするフレキシブルプリント基板。
【請求項２】
前記破壊検知回路層は、前記フレキシブルプリント基板の厚さ方向における前記データ信号回路層の一方側のみに形成されていることを特徴とする請求項１記載のフレキシブルプリント基板。
【請求項３】
前記フレキシブルプリント基板は、帯状に形成され、
前記破壊検知回路は、帯状に形成される前記フレキシブルプリント基板の長手方向の一端側と他端側との間で引き回される往路側パターン配線および復路側パターン配線によって構成され、
前記往路側パターン配線と前記復路側パターン配線とは、前記フレキシブルプリント基板の長手方向の他端側で繋がっていることを特徴とする請求項１または２記載のフレキシブルプリント基板。
【請求項４】
前記往路側パターン配線は、帯状に形成される前記フレキシブルプリント基板の幅方向の一端側から他端側へ向かって突出するとともに前記直線部を有する複数の第１突出部を備え、
前記復路側パターン配線は、前記フレキシブルプリント基板の幅方向の他端側から一端側へ向かって突出するとともに前記直線部を有する複数の第２突出部を備えることを特徴とする請求項３記載のフレキシブルプリント基板。
【請求項５】
前記第１突出部と前記第２突出部とは、前記フレキシブルプリント基板の長手方向において互いに隣り合うように交互に配置されていることを特徴とする請求項４記載のフレキシブルプリント基板。
【請求項６】
前記往路側パターン配線は、前記フレキシブルプリント基板の長手方向で隣り合う２個の前記第１突出部を前記フレキシブルプリント基板の幅方向の一端側で繋ぐ第１接続部を備え、
前記復路側パターン配線は、前記フレキシブルプリント基板の長手方向で隣り合う２個の前記第２突出部を前記フレキシブルプリント基板の幅方向の他端側で繋ぐ第２接続部を備え、
前記第１接続部および前記第２接続部は、複数の前記円弧部からなる波型状に形成されていることを特徴とする請求項５記載のフレキシブルプリント基板。
【請求項７】
前記第１突出部および前記第２突出部は、複数の前記直線部と、前記直線部を繋ぐ前記円弧部を備え、
前記第１突出部の少なくとも１個の前記円弧部と前記第２突出部の少なくとも１個の前記円弧部とが、前記フレキシブルプリント基板の幅方向において隣り合うように配置されていることを特徴とする請求項５または６記載のフレキシブルプリント基板。
【請求項８】
カードに記録されたデータの読取りおよび前記カードへのデータの記録の少なくともいずれか一方を行うカードリーダにおいて、
前記カードから読み取ったデータの信号および前記カードに記録されるデータの信号の少なくともいずれか一方を伝えるためのデータ信号回路が形成されるデータ信号回路層と、自身が断線したことおよび短絡したことの少なくともいずれか一方を検知するための破壊検知回路が形成されるとともに前記データ信号回路層と重なる破壊検知回路層とを有するフレキシブルプリント基板を備え、
前記破壊検知回路には、矩形波状のデジタル信号である破壊検知信号が流れ、
前記データ信号回路層の少なくとも一部は、直線状に形成されるとともに互いに平行に配置される複数の第１パターン配線によって構成された前記データ信号回路が形成される第１データ信号回路層となっており、
前記破壊検知回路層の、前記第１データ信号回路層と重なる部分である第１破壊検知回路層には、前記第１パターン配線に直交する直線状の直線部と円弧状の円弧部との組合せからなる第２パターン配線によって構成された前記破壊検知回路が形成されていることを特徴とするカードリーダ。
【請求項９】
前記カードに記録された磁気データの読取りおよび前記カードへの磁気データの記録の少なくともいずれか一方を行う磁気ヘッドを備え、
前記フレキシブルプリント基板は、前記磁気ヘッドに接続され、
前記データ信号回路は、磁気データの信号を伝えることを特徴とする請求項８記載のカードリーダ。
【発明の詳細な説明】
【技術分野】
【０００１】
本発明は、カードリーダ等で使用されるフレキシブルプリント基板に関する。また、本発明は、カードに記録されたデータの読取りやカードへのデータの記録を行うカードリーダに関する。
【背景技術】
【０００２】
従来、カードリーダで使用されるフレキシブルプリント基板が知られている（たとえば、特許文献１参照）。特許文献１に記載のフレキシブルプリント基板は、データ信号層と断線検知信号層と絶縁層とを備える多層構造となっており、フレキシブルプリント基板の表面から裏面に向かって、絶縁層、断線検知信号層、絶縁層、データ信号層、絶縁層、断線検知信号層および絶縁層がこの順番で積層されている。データ信号層には、カードから読み取られたデータやカードに記録されるデータを伝えるデータ信号回路（データ信号パターン）が形成されている。断線検知信号層には、自身が断線したことを検知するための断線検知信号回路（断線検知信号パターン）が形成されている。
【０００３】
特許文献１に記載のフレキシブルプリント基板では、データ信号回路は、断線検知信号回路に覆われている。そのため、このフレキシブルプリント基板では、犯罪者がデータ信号回路からデータを不正に取得しようとして、データ不正取得用の信号線をデータ信号回路に取り付けると、断線検知信号回路が断線して、フレキシブルプリント基板に対して不正行為が行われていることが検知される。また、フレキシブルプリント基板に対して不正行為が行われていることが検知されたときに、所定の処理を実行することで、データ信号回路からのデータの不正取得を防止することが可能になる。
【先行技術文献】
【特許文献】
【０００４】
【特許文献１】特開２０１２−２０４５２７号公報
【発明の概要】
【発明が解決しようとする課題】
【０００５】
特許文献１に記載のフレキシブルプリント基板では、データ信号回路が断線検知信号回路に覆われているため、上述のように、データ信号回路からのデータの不正取得を防止することが可能になっている。一方で、このフレキシブルプリント基板では、データ信号回路を覆う断線検知信号回路に、矩形波状のデジタル信号である断線検知信号が流れるため、断線検知信号回路を流れる断線検知信号とデータ信号回路を流れるデータ信号との間でクロストークが発生するおそれがある。
【０００６】
断線検知信号回路に流れる断線検知信号とデータ信号回路に流れるデータ信号との間でクロストークが発生すると、カードから正確にデータを読み取ることができなくなったり、カードに正確なデータを記録できなくなったりするおそれがある。また、断線検知信号回路に流れる断線検知信号とデータ信号回路に流れるデータ信号との間でクロストークが発生すると、断線検知信号回路が断線していないにもかかわらず、断線検知信号回路が断線したことが検知される誤検知が発生するおそれがある。
【０００７】
そこで、本発明の課題は、データ信号を伝えるためのデータ信号回路と、自身が断線したことや短絡したことを検知するための破壊検知回路とが形成されるフレキシブルプリント基板において、データ信号回路からのデータの不正取得を防止することが可能であっても、データ信号回路に流れる信号と破壊検知回路に流れる信号との間のクロストークを低減することが可能なフレキシブルプリント基板を提供することにある。
【０００８】
また、本発明の課題は、データ信号回路と破壊検知回路とが形成されるフレキシブルプリント基板を有するカードリーダにおいて、データ信号回路からのデータの不正取得を防止することが可能であっても、データ信号回路に流れる信号と破壊検知回路に流れる信号との間のクロストークを低減することが可能なカードリーダを提供することにある。
【課題を解決するための手段】
【０００９】
上記の課題を解決するため、本発明のフレキシブルプリント基板は、データ信号を伝えるためのデータ信号回路が形成されるデータ信号回路層と、自身が断線したことおよび短絡したことの少なくともいずれか一方を検知するための破壊検知回路が形成されるとともにデータ信号回路層と重なる破壊検知回路層とを備え、破壊検知回路には、矩形波状のデジタル信号である破壊検知信号が流れ、データ信号回路層の少なくとも一部は、直線状に形成されるとともに互いに平行に配置される複数の第１パターン配線によって構成されたデータ信号回路が形成される第１データ信号回路層となっており、破壊検知回路層の、第１データ信号回路層と重なる部分である第１破壊検知回路層には、第１パターン配線に直交する直線状の直線部と円弧状の円弧部との組合せからなる第２パターン配線によって構成された破壊検知回路が形成されていることを特徴とする。
【００１０】
本発明のフレキシブルプリント基板では、データ信号回路が形成されるデータ信号回路層と破壊検知回路が形成される破壊検知回路層とが重なっている。したがって、本発明では、犯罪者がデータ信号回路からデータを不正に取得するために、データ不正取得用の信号線をデータ信号回路に取り付けようとしたときに、破壊検知回路を断線させたり短絡させたりして、フレキシブルプリント基板に対して不正行為が行われていることを検知することが可能になる。また、フレキシブルプリント基板に対して不正行為が行われていることが検知されたときに、所定の処理を実行することで、データ信号回路からのデータの不正取得を防止することが可能になる。
【００１１】
また、本発明では、データ信号回路層の少なくとも一部は、直線状に形成されるとともに互いに平行に配置される複数の第１パターン配線によって構成されたデータ信号回路が形成される第１データ信号回路層となっており、破壊検知回路層の、第１データ信号回路層と重なる部分である第１破壊検知回路層には、第１パターン配線に直交する直線状の直線部と円弧状の円弧部との組合せからなる第２パターン配線によって構成された破壊検知回路が形成されている。
【００１２】
そのため、本発明では、第１破壊検知回路層に形成される破壊検知回路には、第１データ信号回路層に形成された直線状の第１パターン配線に平行な直線状の部分がない。したがって、本発明では、破壊検知回路に流れる矩形波状のデジタル信号である破壊検知信号とデータ信号回路に流れる信号との間のクロストークを低減することが可能になる。すなわち、本発明では、データ信号回路からのデータの不正取得を防止することが可能であっても、データ信号回路に流れる信号と破壊検知回路に流れる破壊検知信号との間のクロストークを低減することが可能になる。
【００１３】
なお、シールド回路が形成されるシールド層をデータ信号回路層と破壊検知回路層との間に配置することによっても、データ信号回路に流れる信号と破壊検知回路に流れる破壊検知信号との間のクロストークを低減することは可能である。しかしながら、この場合には、フレキシブルプリント基板のコストが高くなる。また、この場合には、フレキシブルプリント基板の厚さが厚くなって、フレキシブルプリント基板の柔軟性が低下する。
【００１４】
本発明において、破壊検知回路層は、フレキシブルプリント基板の厚さ方向におけるデータ信号回路層の一方側のみに形成されていることが好ましい。このように構成すると、フレキシブルプリント基板の厚さ方向におけるデータ信号回路層の両側に破壊検知回路層が形成されている場合と比較して、フレキシブルプリント基板のコストを低減することが可能になる。また、このように構成すると、フレキシブルプリント基板の厚さ方向におけるデータ信号回路層の両側に破壊検知回路層が形成されている場合と比較して、フレキシブルプリント基板の厚さを薄くすることが可能になり、その結果、フレキシブルプリント基板の柔軟性を高めることが可能になる。
【００１５】
本発明において、たとえば、フレキシブルプリント基板は、帯状に形成され、破壊検知回路は、帯状に形成されるフレキシブルプリント基板の長手方向の一端側と他端側との間で引き回される往路側パターン配線および復路側パターン配線によって構成され、往路側パターン配線と復路側パターン配線とは、フレキシブルプリント基板の長手方向の他端側で繋がっている。
【００１６】
本発明において、たとえば、往路側パターン配線は、帯状に形成されるフレキシブルプリント基板の幅方向の一端側から他端側へ向かって突出するとともに直線部を有する複数の第１突出部を備え、復路側パターン配線は、フレキシブルプリント基板の幅方向の他端側から一端側へ向かって突出するとともに直線部を有する複数の第２突出部を備えている。
【００１７】
本発明において、第１突出部と第２突出部とは、フレキシブルプリント基板の長手方向において互いに隣り合うように交互に配置されていることが好ましい。このように構成すると、犯罪者がデータ信号回路からデータを不正に取得するために、データ不正取得用の信号線をデータ信号回路に取り付けようとしたときに、破壊検知回路に短絡が生じやすくなる。
【００１８】
本発明において、往路側パターン配線は、フレキシブルプリント基板の長手方向で隣り合う２個の第１突出部をフレキシブルプリント基板の幅方向の一端側で繋ぐ第１接続部を備え、復路側パターン配線は、フレキシブルプリント基板の長手方向で隣り合う２個の第２突出部をフレキシブルプリント基板の幅方向の他端側で繋ぐ第２接続部を備え、第１接続部および第２接続部は、複数の円弧部からなる波型状に形成されていることが好ましい。このように構成すると、フレキシブルプリント基板の幅方向における破壊検知回路層の両端側の、破壊検知回路が形成されていない部分の面積を小さくすることが可能になる。したがって、犯罪者がデータ信号回路からデータを不正に取得するためにデータ不正取得用の信号線をデータ信号回路に取り付けようとしたときに、破壊検知回路に断線や短絡が生じやすくなる。
【００１９】
本発明において、第１突出部および第２突出部は、複数の直線部と、直線部を繋ぐ円弧部を備え、第１突出部の少なくとも１個の円弧部と第２突出部の少なくとも１個の円弧部とが、フレキシブルプリント基板の幅方向において隣り合うように配置されていることが好ましい。このように構成すると、破壊検知回路層の第１突出部と第２突出部との間の、破壊検知回路が形成されていない部分の面積を小さくすることが可能になる。したがって、犯罪者がデータ信号回路からデータを不正に取得するためにデータ不正取得用の信号線をデータ信号回路に取り付けようとしたときに、破壊検知回路に断線や短絡が生じやすくなる。
【００２０】
また、上記の課題を解決するため、本発明のカードリーダは、カードに記録されたデータの読取りおよびカードへのデータの記録の少なくともいずれか一方を行うカードリーダにおいて、カードから読み取ったデータの信号およびカードに記録されるデータの信号の少なくともいずれか一方を伝えるためのデータ信号回路が形成されるデータ信号回路層と、自身が断線したことおよび短絡したことの少なくともいずれか一方を検知するための破壊検知回路が形成されるとともにデータ信号回路層と重なる破壊検知回路層とを有するフレキシブルプリント基板を備え、破壊検知回路には、矩形波状のデジタル信号である破壊検知信号が流れ、データ信号回路層の少なくとも一部は、直線状に形成されるとともに互いに平行に配置される複数の第１パターン配線によって構成されたデータ信号回路が形成される第１データ信号回路層となっており、破壊検知回路層の、第１データ信号回路層と重なる部分である第１破壊検知回路層には、第１パターン配線に直交する直線状の直線部と円弧状の円弧部との組合せからなる第２パターン配線によって構成された破壊検知回路が形成されていることを特徴とする。
【００２１】
本発明のカードリーダが備えるフレキシブルプリント基板では、データ信号回路が形成されるデータ信号回路層と破壊検知回路が形成される破壊検知回路層とが重なっている。したがって、本発明では、データ信号回路からデータを不正に取得するために、犯罪者がデータ不正取得用の信号線をデータ信号回路に取り付けようとしたときに、破壊検知回路を断線させたり短絡させたりして、フレキシブルプリント基板に対して不正行為が行われていることを検知することが可能になる。また、フレキシブルプリント基板に対して不正行為が行われていることが検知されたときに、所定の処理を実行することで、データ信号回路からのデータの不正取得を防止することが可能になる。
【００２２】
また、本発明では、データ信号回路層の少なくとも一部は、直線状に形成されるとともに互いに平行に配置される複数の第１パターン配線によって構成されたデータ信号回路が形成される第１データ信号回路層となっており、破壊検知回路層の、第１データ信号回路層と重なる部分である第１破壊検知回路層には、第１パターン配線に直交する直線状の直線部と円弧状の円弧部との組合せからなる第２パターン配線によって構成された破壊検知回路が形成されている。
【００２３】
そのため、本発明では、第１破壊検知回路層に形成される破壊検知回路には、第１データ信号回路層に形成された直線状の第１パターン配線に平行な直線状の部分がない。したがって、本発明では、破壊検知回路に流れる矩形波状のデジタル信号である破壊検知信号とデータ信号回路に流れる信号との間のクロストークを低減することが可能になる。すなわち、本発明では、データ信号回路からのデータの不正取得を防止することが可能であっても、データ信号回路に流れる信号と破壊検知回路に流れる破壊検知信号との間のクロストークを低減することが可能になる。
【００２４】
本発明において、カードリーダは、たとえば、カードに記録された磁気データの読取りおよびカードへの磁気データの記録の少なくともいずれか一方を行う磁気ヘッドを備え、フレキシブルプリント基板は、磁気ヘッドに接続され、データ信号回路は、磁気データの信号を伝えている。本発明では、データ信号回路に流れる信号と破壊検知回路に流れる破壊検知信号との間のクロストークを低減することが可能になるため、たとえば、カードに記録された磁気データを磁気ヘッドで読み取る際の磁気ヘッドの出力信号の振幅が小さくても、カードに記録された磁気データを正確に読み取ることが可能になる。
【発明の効果】
【００２５】
以上のように、本発明では、データ信号回路からのデータの不正取得を防止することが可能であっても、データ信号回路に流れる信号と破壊検知回路に流れる信号との間のクロストークを低減することが可能になる。
【図面の簡単な説明】
【００２６】
【図１】本発明の実施の形態にかかるカードリーダの斜視図である。
【図２】図１に示すカードリーダからケース本体を取り外した状態の分解斜視図である。
【図３】図１に示すカードリーダ１からケース体および保護基板等を取り外した状態を別の方向から示す斜視図である。
【図４】（Ａ）は、図３に示すフレキシブルプリント基板の展開図であり、（Ｂ）は、図３に示すフレキシブルプリント基板の構成を説明するための断面図である。
【図５】（Ａ）は、図４（Ｂ）に示すデータ信号回路層の展開図であり、（Ｂ）は、図４（Ｂ）に示す破壊検知回路層の展開図である。
【図６】図５（Ａ）のＥ部の拡大図である。
【図７】図５（Ｂ）のＦ部の拡大図である。
【発明を実施するための形態】
【００２７】
以下、図面を参照しながら、本発明の実施の形態を説明する。
【００２８】
（カードリーダの全体構成）
図１は、本発明の実施の形態にかかるカードリーダ１の斜視図である。図２は、図１に示すカードリーダ１からケース本体１２を取り外した状態の分解斜視図である。図３は、図１に示すカードリーダ１からケース体４および保護基板１４等を取り外した状態を別の方向から示す斜視図である。
【００２９】
本形態のカードリーダ１は、カード２に記録されたデータの読取りやカード２へのデータの記録を行う装置である。具体的には、カードリーダ１は、カードリーダ１へのカード２の挿入とカードリーダ１からのカード２の抜取りとを手動で行ってデータの読取りや記録を行ういわゆるディップ式のカードリーダである。このカードリーダ１は、たとえば、無人またはセルフサービス方式のガソリンスタンドの給油装置やＡＴＭ等の上位装置に搭載されて使用される。
【００３０】
カード２は、たとえば、厚さが０．７〜０．８ｍｍ程度の矩形状の塩化ビニール製のカードである。カード２の一方の面には、磁気データが記録される磁気ストライプが形成されている。また、カード２には、ＩＣチップが内蔵されており、カード２の他方の面には、ＩＣチップの外部接続端子が形成されている。なお、カード２は、厚さが０．１８〜０．３６ｍｍ程度のＰＥＴ（ポリエチレンテレフタレート）カードや、所定の厚さの紙カード等であっても良い。
【００３１】
カードリーダ１は、カードリーダ本体３と、カードリーダ本体３を覆うケース体４とを備えている。カードリーダ本体３は、カード２が移動するカード移動路５が形成される本体フレーム６と、カード２に記録された磁気データの読取りおよびカード２への磁気データの記録の少なくともいずれか一方を行う磁気ヘッド７（図３参照）と、カード２に内蔵されるＩＣチップとデータの通信を行うための複数のＩＣ接点バネを有するＩＣ接点ブロック（図示省略）とを備えている。
【００３２】
ケース体４は、カード２の挿入口１０が形成される前面カバー１１と、ケース本体１２とから構成されている。また、カードリーダ１は、図２に示すように、制御用のプリント基板である制御基板１３と、制御基板１３を保護するためのプリント基板である保護基板１４と、前面カバー１１が取り外されたこと、および、カードリーダ１が上位装置から取り外されたことを検知するためのシートスイッチ（メンブレンスイッチ）１５とを備えている。
【００３３】
本形態では、手動で操作されるカード２は、図１等に示すＸ方向に移動する。すなわち、Ｘ方向は、カード移動路５を移動するカード２の移動方向である。また、カード２は、Ｘ１方向に挿入され、Ｘ２方向に抜き取られる。また、Ｘ方向に直交する図１等のＺ方向は、カード移動路５を移動するカード２の厚さ方向であり、Ｘ方向とＺ方向とに直交する図１等のＹ方向は、カード移動路５を移動するカード２の幅方向（短手幅方向）である。
【００３４】
以下の説明では、Ｘ方向を前後方向、Ｙ方向を左右方向、Ｚ方向を上下方向とする。また、カードリーダ１へのカード２の挿入方向側であるＸ１方向側を「後ろ」側とし、カードリーダ１からのカード２の抜取り方向側であるＸ２方向側を「前」側とする。また、左右方向の一方側であるＹ１方向側を「右」側、左右方向の他方側であるＹ２方向側を「左」側、上下方向の一方側であるＺ１方向側を「上」側、上下方向の他方側であるＺ２方向側を「下」側とする。
【００３５】
本体フレーム６は、カードリーダ１に挿入されたカード２（すなわち、挿入口１０から挿入されたカード２）の後端側部分が収容されるカード収容部６ａと、磁気ヘッド７が配置されるヘッド配置部６ｂと、挿入口１０から挿入されたカード２を案内するためのカード案内部６ｃとを備えている。ヘッド配置部６ｂおよびカード案内部６ｃは、カード収容部６ａよりも前側に配置されている。ヘッド配置部６ｂおよびカード案内部６ｃと、カード収容部６ａとの間には、鍔状に広がる鍔部６ｄが形成されている。
【００３６】
鍔部６ｄは、カード収容部６ａの前端から上下方向および左右方向に広がる略長方形の枠状に形成されている。ヘッド配置部６ｂおよびカード案内部６ｃは、鍔部６ｄから前側へ突出している。ヘッド配置部６ｂとカード案内部６ｃとは、左右方向において間隔をあけた状態で形成されている。本形態では、ヘッド配置部６ｂが右側に配置され、カード案内部６ｃが左側に配置されている。磁気ヘッド７は、ヘッド配置部６ｂの前端側に取り付けられている。磁気ヘッド７は、磁気ヘッド７の磁気ギャップがカード移動路５に下側から臨むように配置されている。また、カード収容部６ａには、ＩＣ接点ブロックが取り付けられている。
【００３７】
前面カバー１１は、本体フレーム６の前面側に配置されており、本体フレーム６の前面側部分を覆っている。また、前面カバー１１は、カードリーダ１の前面を構成している。前面カバー１１の前面側には、上位装置へのカードリーダ１の取付面１１ａが形成されている。取付面１１ａは、前後方向に直交する平面となっている。また、前面カバー１１の前面側には、上位装置の前面パネルに形成される開口の中に配置される露出部１１ｂが形成されている。露出部１１ｂは、取付面１１ａから前側へ突出するように形成されており、上位装置にカードリーダ１が取り付けられたときに、上位装置の前面パネルの一部を構成している。
【００３８】
また、前面カバー１１には、露出部１１ｂの前面から後ろ側に向かって窪む指挿入部１１ｃが形成されている。指挿入部１１ｃは、ユーザの指が挿入可能となる大きさに形成されており、ユーザがカードリーダ１へカード２を挿入する際、および、ユーザがカードリーダ１からカード２を抜き取る際には、この指挿入部１１ｃにユーザの指が挿入される。挿入口１０は、露出部１１ｂの前面、指挿入部１１ｃの左右の両側面および後面に形成されている。また、前面カバー１１の前面側には、取付面１１ａから後ろ側に向かって窪む凹部１１ｄが形成されている。凹部１１ｄは、露出部１１ｂの左側に形成されている。
【００３９】
ケース本体１２は、前端が開口する略直方体の箱状に形成されている。前面カバー１１とケース本体１２とは、前面カバー１１の後端とケース本体１２の前端とが当接した状態で互いに固定されている。ケース体４は、カードリーダ本体３の上下の両面、左右の両面および前後の両面を覆っている。
【００４０】
制御基板１３は、略長方形の平板状に形成されたリジッド基板である。制御基板１３は、カード収容部６ａの上面に固定されている。磁気ヘッド７は、フレキシブルプリント基板１９を介して制御基板１３に電気的に接続されている。ＩＣ接点ブロックも、フレキシブルプリント基板を介して制御基板１３に電気的に接続されている。図２に示すように、制御基板１３には、フレキシブルプリント基板１９が接続されるコネクタ２２と、保護基板１４が接続されるコネクタ２３と、シートスイッチ１５が接続されるコネクタ２４とが実装されている。また、制御基板１３には、シートスイッチ１５に電力を供給するバッテリー２５が実装されている。
【００４１】
制御基板１３は、磁気ヘッド７によってカード２の磁気ストライプから読み取った磁気データの信号（データ信号）や磁気ヘッド７によってカード２の磁気ストライプに記録するデータ信号を伝えるためのデータ信号回路が形成されるデータ信号回路層を備えている。また、制御基板１３は、ＩＣ接点バネによってカード２のＩＣチップから読み取ったデータの信号（データ信号）やＩＣ接点バネによってカード２のＩＣチップに記録するデータ信号を伝えるためのデータ信号回路が形成されるデータ信号回路層を備えている。
【００４２】
保護基板１４は、フレキシブルプリント基板である。保護基板１４は、自身が断線したことおよび短絡したことを検知するための破壊検知回路が形成される破壊検知回路層と、この破壊検知回路層を挟むように配置される絶縁層とを備えている。破壊検知回路は、保護基板１４のほぼ全域に形成されている。また、破壊検知回路は、バッテリー２５に接続されている。保護基板１４は、上下の両側、左右の両側および後ろ側からカード収容部６ａおよび制御基板１３を囲むように配置されており、上下の両側、左右の両側および後ろ側からカード収容部６ａおよび制御基板１３を覆っている。
【００４３】
シートスイッチ１５は、前面カバー１１が取り外されたことを検知するためのスイッチ部１５ａと、カードリーダ１が上位装置から取り外されたことを検知するためのスイッチ部１５ｂと、スイッチ部１５ａ、１５ｂを制御基板１３に接続する帯状の接続部１５ｃとから構成されている。スイッチ部１５ａ、１５ｂは、接点電極等を有する接触式の検知スイッチである。
【００４４】
スイッチ部１５ａは、前面カバー１１の後面の上端側に固定されている。前面カバー１１とケース本体１２とが互いに固定された状態では、スイッチ部１５ａの接点電極は、本体フレーム６の鍔部６ｄの前面に形成される凸部６ｅ（図２参照）によって前側に押されており、スイッチ部１５ａは、導通状態となっている。一方、前面カバー１１が取り外されると、スイッチ部１５ａの接点電極が凸部６ｅに押されなくなって、スイッチ部１５ａが非導通状態となるため、前面カバー１１が取り外されたことが検知される。
【００４５】
スイッチ部１５ｂは、前面カバー１１の凹部１１ｄの底面（後ろ側の面）に固定されている。カードリーダ１が上位装置に取り付けられた状態では、スイッチ部１５ｂの接点電極は、上位装置の前面パネルの後面に形成される凸部（図示省略）によって後ろ側に押されており、スイッチ部１５ｂは、導通状態となっている。一方、上位装置からカードリーダ１が取り外されると、スイッチ部１５ｂの接点電極が上位装置の凸部に押されなくなって、スイッチ部１５ｂが非導通状態となるため、カードリーダ１が上位装置から取り外されたことが検知される。
【００４６】
本形態では、データを不正に取得するために犯罪者によって何らかの不正行為が行われて、保護基板１４の破壊検知回路の断線や短絡が検知されたり、フレキシブルプリント基板１９に形成される後述の破壊検知回路３３の断線や短絡が検知されたり、上位装置からカードリーダ１が取り外されたことが検知されたり、前面カバー１１が取り外されたことが検知されたりすると、制御基板１３に記憶されているデータを消去したり、制御基板１３を使用不可な状態にしたり、上位装置に異常を通知する等の所定の処理が実行される。
【００４７】
（フレキシブルプリント基板の構成）
図４（Ａ）は、図３に示すフレキシブルプリント基板１９の展開図であり、図４（Ｂ）は、図３に示すフレキシブルプリント基板１９の構成を説明するための断面図である。図５（Ａ）は、図４（Ｂ）に示すデータ信号回路層３２の展開図であり、図５（Ｂ）は、図４（Ｂ）に示す破壊検知回路層３４の展開図である。図６は、図５（Ａ）のＥ部の拡大図である。図７は、図５（Ｂ）のＦ部の拡大図である。
【００４８】
フレキシブルプリント基板１９（以下、「ＦＰＣ１９」とする。）は、帯状に形成されている。ＦＰＣ１９の一端は、コネクタ２２に接続されている。ＦＰＣ１９の他端は、磁気ヘッド７に接続されている。ＦＰＣ１９は、所定形状に折り曲げられた状態で本体フレーム６に沿って引き回されている。ＦＰＣ１９は、コネクタ２２に接続される被接続部１９ａと、磁気ヘッド７に接続される被接続部１９ｂと、被接続部１９ｂを覆う覆部１９ｃと、被接続部１９ｂと覆部１９ｃとを繋ぐ接続部１９ｄと、被接続部１９ａと覆部１９ｃとを繋ぐ接続部１９ｅとから構成されている。
【００４９】
被接続部１９ａは、略長方形状に形成されている。被接続部１９ｂおよび覆部１９ｃは、略正方形状に形成されている。接続部１９ｄは、直線状に形成されている。接続部１９ｅは、直線状に形成される第１直線接続部１９ｆおよび第２直線接続部１９ｇと、第１直線接続部１９ｆと第２直線接続部１９ｇとの間に配置される略楕円形状の楕円接続部１９ｈとから構成されている。第１直線接続部１９ｆの一端は、被接続部１９ａに繋がり、第１直線接続部１９ｆの他端は、楕円接続部１９ｈに繋がっている。第２直線接続部１９ｇの一端は、覆部１９ｃに繋がり、第２直線接続部１９ｇの他端は、楕円接続部１９ｈに繋がっている。
【００５０】
第１直線接続部１９ｆおよび第２直線接続部１９ｇは、ＦＰＣ１９が展開された状態で、第１直線接続部１９ｆと第２直線接続部１９ｇとが同一直線上に配置されるように形成されている。接続部１９ｄは、ＦＰＣ１９が展開された状態で、第２直線接続部１９ｇと接続部１９ｄとが直交するように形成されている。楕円接続部１９ｈには、２個の貫通穴１９ｊ、１９ｋが形成されている。
【００５１】
被接続部１９ｂは、磁気ヘッド７の下端部に半田付けされて接続されている。覆部１９ｃは、被接続部１９ｂを下側から覆っている。接続部１９ｄは、被接続部１９ｂが覆部１９ｃに覆われるように折り返されている。なお、被接続部１９ｂ、接続部１９ｄおよび覆部１９ｃは、樹脂製の封止部材（図示省略）によって覆われている。また、磁気ヘッド７の下端には、図３に示すように、覆部１９ｃを下側から覆うカバー２９が固定されている。
【００５２】
接続部１９ｅは、磁気ヘッド７から後ろ側に向かって引き回されている。本形態では、第２直線接続部１９ｇおよび楕円接続部１９ｈは、本体フレーム６の鍔部６ｄの前側に配置され、第１直線接続部１９ｆは、鍔部６ｄの後ろ側に配置されている。鍔部６ｄには、前後方向に貫通する貫通穴６ｆ（図３参照）が形成されており、接続部１９ｅは、貫通穴６ｆを通過するように引き回されている。被接続部１９ａは、コネクタ２２に差し込まれている。
【００５３】
また、ＦＰＣ１９は、データ信号を伝えるための（具体的には、カード２から読み取られたデータの信号およびカード２に記録されるデータの信号の少なくともいずれか一方を伝えるための）データ信号回路３１が形成されるデータ信号回路層３２と、自身が断線したことおよび短絡したことを検知するための破壊検知回路３３が形成される破壊検知回路層３４と、データ信号回路層３２および破壊検知回路層３４を保護する絶縁層３５とを備えている。
【００５４】
図４（Ｂ）に示すように、絶縁層３５とデータ信号回路層３２と絶縁層３５と破壊検知回路層３４と絶縁層３５とは、ＦＰＣ１９の一方の面から他方の面に向かってこの順番で積層されている。すなわち、破壊検知回路層３４は、絶縁層３５を介してデータ信号回路層３２と重なっている。また、破壊検知回路層３４は、ＦＰＣ１９の厚さ方向におけるデータ信号回路層３２の一方側のみに形成されている。図５に示すように、データ信号回路層３２の外形および破壊検知回路層３４の外形は、ＦＰＣ１９の外形とほぼ等しくなっている。また、絶縁層３５の外形は、ＦＰＣ１９の外形とほぼ等しくなっている。
【００５５】
データ信号回路３１は、磁気データの信号を伝える。データ信号回路３１は、複数のパターン配線３７によって構成されている。本形態では、磁気ヘッド７が３チャンネル型の磁気ヘッドとなっており、データ信号回路３１は、６本のパターン配線３７によって構成されている。パターン配線３７の一端は、磁気ヘッド７に接続され、パターン配線３７の他端は、制御基板１３に接続されている。図５（Ａ）に示すように、データ信号回路３１は、データ信号回路層３２のほぼ全域に形成されている。また、データ信号回路層３２には、データ信号回路３１に加えて、接地回路３８が形成されている。
【００５６】
第１直線接続部１９ｆおよび第２直線接続部１９ｇでは、６本のパターン配線３７は、直線状に形成されるとともに互いに平行に配置されている。すなわち、パターン配線３７の、第１直線接続部１９ｆに配置される部分、および、パターン配線３７の、第２直線接続部１９ｇに配置される部分を第１パターン配線３７ａとすると（図６参照）、第１直線接続部１９ｆおよび第２直線接続部１９ｇでは、データ信号回路３１は、直線状に形成されるとともに互いに平行に配置される６本の第１パターン配線３７ａによって構成されている。６本の第１パターン配線３７ａは、第１直線接続部１９ｆおよび第２直線接続部１９ｇの長手方向に沿う（長手方向に平行な）直線状に形成されている。
【００５７】
本形態では、データ信号回路層３２の、第１直線接続部１９ｆの部分および第２直線接続部１９ｇの部分は、６本の第１パターン配線３７ａによって構成されたデータ信号回路３１が形成される第１データ信号回路層３２ａとなっている。すなわち、データ信号回路層３２の一部分は、６本の第１パターン配線３７ａによって構成されたデータ信号回路３１が形成される第１データ信号回路層３２ａとなっている。なお、第１直線接続部１９ｆおよび第２直線接続部１９ｇでは、接地回路３８は、６本のパターン配線３７と平行な直線状となっている。
【００５８】
破壊検知回路３３には、矩形波状のデジタル信号である破壊検知信号が流れている。破壊検知回路３３は、図５（Ｂ）に示すように、破壊検知回路層３４の、被接続部１９ａの部分と覆部１９ｃの部分と接続部１９ｅの部分とに形成されている。破壊検知回路３３は、１本のパターン配線４０によって構成されている。パターン配線４０の一端は、制御基板１３に形成される破壊検知回路に接続され、パターン配線４０の他端は、接地されている。また、パターン配線４０の一端は、制御基板１３の破壊検知回路を介してバッテリー２５に接続されている。
【００５９】
パターン配線４０は、帯状に形成されるＦＰＣ１９の長手方向の一端側から他端側に向かって引き回された後、ＦＰＣ１９の長手方向の他端側で折り返されて、ＦＰＣ１９の長手方向の一端側まで引き回されている。すなわち、パターン配線４０は、帯状に形成されるＦＰＣ１９の長手方向の一端側と他端側との間で引き回される往路側パターン配線４０ａおよび復路側パターン配線４０ｂによって構成されており、往路側パターン配線４０ａと復路側パターン配線４０ｂとは、ＦＰＣ１９の長手方向の他端側で繋がっている。具体的には、往路側パターン配線４０ａと復路側パターン配線４０ｂとは、覆部１９ｃで繋がっている。このように、破壊検知回路３３は、往路側パターン配線４０ａと復路側パターン配線４０ｂとによって構成されている。
【００６０】
第１直線接続部１９ｆおよび第２直線接続部１９ｇでは、パターン配線４０は、第１パターン配線３７ａに直交する（第１直線接続部１９ｆおよび第２直線接続部１９ｇの長手方向に直交する）直線状の直線部４０ｃと、円弧状の円弧部４０ｄとの組合せによって構成されている（図７参照）。すなわち、パターン配線４０の、第１直線接続部１９ｆに配置される部分、および、パターン配線４０の、第２直線接続部１９ｇに配置される部分を第２パターン配線４０ｅとすると、第１直線接続部１９ｆおよび第２直線接続部１９ｇでは、破壊検知回路３３は、直線部４０ｃと円弧部４０ｄとの組合せからなる第２パターン配線４０ｅによって構成されている。
【００６１】
本形態では、破壊検知回路層３４の、第１直線接続部１９ｆの部分および第２直線接続部１９ｇの部分は、破壊検知回路層３４の、第１データ信号回路層３２ａと重なる部分である第１破壊検知回路層３４ａとなっており、第１破壊検知回路層３４ａには、直線部４０ｃと円弧部４０ｄとの組合せからなる第２パターン配線４０ｅによって構成された破壊検知回路３３が形成されている。
【００６２】
第１直線接続部１９ｆおよび第２直線接続部１９ｇにおいて、往路側パターン配線４０ａは、帯状に形成されるＦＰＣ１９の幅方向（直線状に形成される第１直線接続部１９ｆおよび第２直線接続部１９ｇの幅方向）の一端側から他端側へ向かって突出するとともに直線部４０ｃを有する複数の第１突出部４０ｆを備えている。また、第１直線接続部１９ｆおよび第２直線接続部１９ｇにおいて、復路側パターン配線４０ｂは、ＦＰＣ１９の幅方向の他端側から一端側へ向かって突出するとともに直線部４０ｃを有する複数の第２突出部４０ｇを備えている。すなわち、第２パターン配線４０ｅは、複数の第１突出部４０ｆと複数の第２突出部４０ｇとを備えている。
【００６３】
図７に示すように、第１突出部４０ｆおよび第２突出部４０ｇは、複数の直線部４０ｃと、直線部４０ｃを繋ぐ円弧部４０ｄとを備えている。具体的には、第１突出部４０ｆおよび第２突出部４０ｇは、６個の直線部４０ｃと、６個の直線部４０ｃのそれぞれを繋ぐ５個の円弧部４０ｄとから構成されている。より具体的には、第１突出部４０ｆおよび第２突出部４０ｇは、同一直線上に配置される３個の直線部４０ｃと、この３個の直線部４０ｃのそれぞれと平行に配置される３個の直線部４０ｃと、６個の直線部４０ｃを繋ぐ５個の円弧部４０ｄとから構成されている。５個の円弧部４０ｄのうちの４個の円弧部４０ｄは、ＦＰＣ１９の長手方向に向かって膨らみ、残りの１個の円弧部４０ｄは、ＦＰＣ１９の幅方向に向かって膨らんでいる。
【００６４】
第１直線接続部１９ｆおよび第２直線接続部１９ｇにおいて、第１突出部４０ｆと第２突出部４０ｇとは、ＦＰＣ１９の長手方向において互いに隣り合うように交互に配置されている。第１突出部４０ｆを構成する６個の直線部４０ｃのうちの４個の直線部４０ｃのそれぞれと、第２突出部４０ｇを構成する５個の円弧部４０ｄのうちのＦＰＣ１９の長手方向に向かって膨らむ４個の円弧部４０ｄのそれぞれとは、ＦＰＣ１９の長手方向で隣り合っている。
【００６５】
同様に、第２突出部４０ｇを構成する６個の直線部４０ｃのうちの４個の直線部４０ｃのそれぞれと、第１突出部４０ｆを構成する５個の円弧部４０ｄのうちのＦＰＣ１９の長手方向に向かって膨らむ４個の円弧部４０ｄのそれぞれとは、ＦＰＣ１９の長手方向で隣り合っている。また、第１突出部４０ｆの、ＦＰＣ１９の長手方向に向かって膨らむ円弧部４０ｄと、第２突出部４０ｇの、ＦＰＣ１９の長手方向に向かって膨らむ円弧部４０ｄとは、ＦＰＣ１９の幅方向において隣り合うように交互に配置されている。
【００６６】
また、第１直線接続部１９ｆおよび第２直線接続部１９ｇにおいて、往路側パターン配線４０ａは、ＦＰＣ１９の長手方向で隣り合う２個の第１突出部４０ｆをＦＰＣ１９の幅方向の一端側で繋ぐ第１接続部４０ｊを備え、復路側パターン配線４０ｂは、ＦＰＣ１９の長手方向で隣り合う２個の第２突出部４０ｇをＦＰＣ１９の幅方向の他端側で繋ぐ第２接続部４０ｋを備えている。
【００６７】
第１接続部４０ｊおよび第２接続部４０ｋは、複数の円弧部４０ｄからなる波型状に形成されている。具体的には、第１接続部４０ｊおよび第２接続部４０ｋは、５個の円弧部４０ｄからなる波型状に形成されている。第１接続部４０ｊおよび第２接続部４０ｋにおいて、ＦＰＣ１９の長手方向で隣り合う２個の円弧部４０ｄは、ＦＰＣ１９の幅方向において互いに異なる方向に向かって膨らんでいる。
【００６８】
第１突出部４０ｆの、ＦＰＣ１９の幅方向に向かって膨らむ円弧部４０ｄは、ＦＰＣ１９の長手方向において、第２接続部４０ｋの、ＦＰＣ１９の幅方向の内側に向かって膨らむ２個の円弧部４０ｄの間に配置されている。第２突出部４０ｇの、ＦＰＣ１９の幅方向に向かって膨らむ円弧部４０ｄは、ＦＰＣ１９の長手方向において、第１接続部４０ｊの、ＦＰＣ１９の幅方向の内側に向かって膨らむ２個の円弧部４０ｄの間に配置されている。
【００６９】
本形態では、本体フレーム６の鍔部６ｄの前側に配置される被接続部１９ｂ、覆部１９ｃ、第２直線接続部１９ｇおよび楕円接続部１９ｈは、ＦＰＣ１９の厚さ方向と上下方向とが一致するように配置されている。また、覆部１９ｃ、第２直線接続部１９ｇおよび楕円接続部１９ｈでは、破壊検知回路層３４は、データ信号回路層３２の下側に配置されている。すなわち、保護基板１４に覆われていない鍔部６ｄの前側では、データ信号回路層３２が本体フレーム６側に配置され、破壊検知回路層３４がカードリーダ１の外部側に配置されるように、ＦＰＣ１９が引き回されている。
【００７０】
（本形態の主な効果）
以上説明したように、本形態のＦＰＣ１９では、データ信号回路３１が形成されるデータ信号回路層３２と、破壊検知回路３３が形成される破壊検知回路層３４とが重なっている。そのため、本形態では、犯罪者がデータ信号回路３１からデータを不正に取得するために、データ不正取得用の信号線をデータ信号回路３１に取り付けようとしたときに、破壊検知回路３３を断線させたり短絡させたりして、ＦＰＣ１９に対して不正行為が行われていることを検知することが可能になる。また、本形態では、破壊検知回路３３の断線や短絡が検知されたときに所定の処理を実行することで、データ信号回路３１からのデータの不正取得を防止することが可能になる。
【００７１】
また、本形態では、第１直線接続部１９ｆおよび第２直線接続部１９ｇにおいて、データ信号回路３１は、直線状に形成されるとともに互いに平行に配置される６本の第１パターン配線３７ａによって構成され、破壊検知回路３３は、第１パターン配線３７ａに直交する直線状の直線部４０ｃと円弧状の円弧部４０ｄとの組合せからなる第２パターン配線４０ｅによって構成されている。すなわち、本形態では、第１直線接続部１９ｆおよび第２直線接続部１９ｇにおいて、破壊検知回路３３には、第１パターン配線３７ａに平行な直線状の部分がない。
【００７２】
したがって、本形態では、破壊検知回路３３に流れる矩形波状のデジタル信号である破壊検知信号とデータ信号回路３１に流れる信号との間のクロストークを低減することが可能になる。すなわち、本形態では、データ信号回路３１からのデータの不正取得を防止することが可能であっても、データ信号回路３１に流れる信号と破壊検知回路３３に流れる破壊検知信号との間のクロストークを低減することが可能になる。また、本形態では、データ信号回路３１に流れる信号と破壊検知回路３３に流れる破壊検知信号との間のクロストークを低減することが可能になるため、たとえば、カード２に記録された磁気データを磁気ヘッド７で読み取る際の磁気ヘッド７の出力信号の振幅が小さくても、カード２に記録された磁気データを正確に読み取ることが可能になる。
【００７３】
なお、シールド回路が形成されるシールド層をデータ信号回路層３２と破壊検知回路層３４との間に配置することによっても、データ信号回路３１に流れる信号と破壊検知回路３３に流れる破壊検知信号との間のクロストークを低減することは可能である。しかしながら、この場合には、ＦＰＣ１９のコストが高くなる。また、この場合には、ＦＰＣ１９の厚さが厚くなって、ＦＰＣ１９の柔軟性が低下する。
【００７４】
本形態では、破壊検知回路層３４がＦＰＣ１９の厚さ方向におけるデータ信号回路層３２の一方側のみに形成されている。そのため、本形態では、ＦＰＣ１９の厚さ方向におけるデータ信号回路層３２の両側に破壊検知回路層３４が形成されている場合と比較して、ＦＰＣ１９のコストを低減することが可能になる。また、ＦＰＣ１９の厚さ方向におけるデータ信号回路層３２の両側に破壊検知回路層３４が形成されている場合と比較して、ＦＰＣ１９の厚さを薄くすることが可能になり、その結果、ＦＰＣ１９の柔軟性を高めることが可能になる。
【００７５】
本形態では、第１直線接続部１９ｆおよび第２直線接続部１９ｇにおいて、第１突出部４０ｆと第２突出部４０ｇとがＦＰＣ１９の長手方向において互いに隣り合うように交互に配置されている。そのため、本形態では、犯罪者がデータ信号回路３１からデータを不正に取得するためにデータ不正取得用の信号線をデータ信号回路３１に取り付けようとしたときに、破壊検知回路３３に短絡が生じやすくなる。
【００７６】
本形態では、第１接続部４０ｊおよび第２接続部４０ｋは、５個の円弧部４０ｄからなる波型状に形成されている。そのため、本形態では、ＦＰＣ１９の幅方向における破壊検知回路層３４の両端側の、破壊検知回路３３が形成されていない部分の面積を小さくすることが可能になる。したがって、本形態では、犯罪者がデータ信号回路３１からデータを不正に取得するためにデータ不正取得用の信号線をデータ信号回路３１に取り付けようとしたときに、破壊検知回路３３に断線や短絡が生じやすくなる。
【００７７】
また、本形態では、第１突出部４０ｆの、ＦＰＣ１９の長手方向に向かって膨らむ円弧部４０ｄと、第２突出部４０ｇの、ＦＰＣ１９の長手方向に向かって膨らむ円弧部４０ｄとが、ＦＰＣ１９の幅方向において隣り合うように交互に配置されているため、破壊検知回路層３４の第１突出部４０ｆと第２突出部４０ｇとの間の、破壊検知回路３３が形成されていない部分の面積を小さくすることが可能になる。したがって、本形態では、犯罪者がデータ信号回路３１からデータを不正に取得するためにデータ不正取得用の信号線をデータ信号回路３１に取り付けようとしたときに、破壊検知回路３３に断線や短絡が生じやすくなる。
【００７８】
（他の実施の形態）
上述した形態は、本発明の好適な形態の一例ではあるが、これに限定されるものではなく本発明の要旨を変更しない範囲において種々変形実施が可能である。
【００７９】
上述した形態では、第１直線接続部１９ｆおよび第２直線接続部１９ｇにおいて、第１突出部４０ｆと第２突出部４０ｇとがＦＰＣ１９の長手方向において交互に配置されているが、第１突出部４０ｆと第２突出部４０ｇとがＦＰＣ１９の長手方向において交互に配置されていなくても良い。たとえば、第１直線接続部１９ｆおよび第２直線接続部１９ｇにおいて、２個以上の第１突出部４０ｆと２個以上の第２突出部４０ｇとがＦＰＣ１９の長手方向において交互に配置されていても良いし、２個以上の第１突出部４０ｆと１個の第２突出部４０ｇとがＦＰＣ１９の長手方向において交互に配置されていても良いし、１個の第１突出部４０ｆと２個以上の第２突出部４０ｇとがＦＰＣ１９の長手方向において交互に配置されていても良い。また、第１突出部４０ｆと第２突出部４０ｇとがＦＰＣ１９の長手方向において隣り合っていなくても良い。
【００８０】
上述した形態において、破壊検知回路層３４は、ＦＰＣ１９の厚さ方向におけるデータ信号回路層３２の両側に形成されていても良い。また、上述した形態では、第１突出部４０ｆおよび第２突出部４０ｇは、６個の直線部４０ｃと５個の円弧部４０ｄとから構成されているが、第１突出部４０ｆおよび第２突出部４０ｇは、たとえば互いに平行に配置される２個の直線部４０ｃと、この２個の直線部４０ｃを繋ぐとともにＦＰＣ１９の幅方向に向かって膨らむ１個の円弧部４０ｄとから構成されていても良い。
【００８１】
上述した形態において、ＦＰＣ１９の接続部１９ｅの全体が直線状に形成されているのであれば、データ信号回路層３２の、接続部１９ｅの部分が、互いに平行に配置される直線状の６本の第１パターン配線３７ａによって構成されたデータ信号回路３１が形成される第１データ信号回路層３２ａとなっていても良い。この場合には、破壊検知回路層３４の、接続部１９ｅの部分が第１破壊検知回路層３４ａとなっており、この第１破壊検知回路層３４ａには、直線部４０ｃと円弧部４０ｄとの組合せからなる第２パターン配線４０ｅによって構成された破壊検知回路３３が形成されている。
【００８２】
また、ＦＰＣ１９の全体が直線状に形成されているのであれば、データ信号回路層３２の全体が、互いに平行に配置される直線状の６本の第１パターン配線３７ａによって構成されたデータ信号回路３１が形成される第１データ信号回路層３２ａとなっていても良い。この場合には、破壊検知回路層３４の全体が第１破壊検知回路層３４ａとなっており、この第１破壊検知回路層３４ａに（すなわち、破壊検知回路層３４の全体に）、直線部４０ｃと円弧部４０ｄとの組合せからなる第２パターン配線４０ｅによって構成された破壊検知回路３３が形成されている。
【００８３】
上述した形態では、ＦＰＣ１９に形成される破壊検知回路３３を用いて、破壊検知回路３３の断線および短絡が検知されているが、破壊検知回路３３を用いて、破壊検知回路３３の断線または短絡の一方のみが検知されても良い。また、上述した形態において、カードリーダ本体３は、ＩＣ接点ブロックを備えていなくても良い。また、上述した形態において、カードリーダ１は、カード２を自動で搬送するカード搬送機構を有するカード搬送式のカードリーダであっても良い。
【００８４】
上述した形態において、ＩＣ接点ブロックと制御基板１３とを繋ぐフレキシブルプリント基板が、ＦＰＣ１９と同様に構成されていても良い。すなわち、ＩＣ接点ブロックと制御基板１３とを繋ぐフレキシブルプリント基板が、第１データ信号回路層３２ａと第１破壊検知回路層３４ａとを備えていても良い。この場合には、カードリーダ本体３は、磁気ヘッド７を備えていなくても良い。また、本発明が適用されるフレキシブルプリント基板は、カードリーダ１以外の機器に使用されても良い。
【符号の説明】
【００８５】
１  カードリーダ
２  カード
７  磁気ヘッド
１９  ＦＰＣ（フレキシブルプリント基板）
３１  データ信号回路
３２  データ信号回路層
３２ａ  第１データ信号回路層
３３  破壊検知回路
３４  破壊検知回路層
３４ａ  第１破壊検知回路層
３７ａ  第１パターン配線
４０ａ  往路側パターン配線
４０ｂ  復路側パターン配線
４０ｃ  直線部
４０ｄ  円弧部
４０ｅ  第２パターン配線
４０ｆ  第１突出部
４０ｇ  第２突出部
４０ｊ  第１接続部
４０ｋ  第２接続部
【図１】
2018170422.tif 000003
【図２】
2018170422.tif 000004
【図３】
2018170422.tif 000005
【図４】
2018170422.tif 000006
【図５】
2018170422.tif 000007
【図６】
2018170422.tif 000008
【図７】
2018170422.tif 000009